(57)【要約】【課題】光学ファインダと液晶ファインダとを備えていて、液晶ファインダを選択した場合には、撮影に際して、可動ミラーがアップ・ダウン作動を行わないようにした一眼レフのデジタルスチルカメラを提供すること。【解決手段】ミラーボックス５内に配置された可動ミラー６は、軸部６ａで時計方向へ回転するように付勢されており、被操作ピン６ｂを、窓部５ａからミラーボックス５の外へ突き出している。ミラー駆動手段は、モータ１１，歯車１２〜１５，ミラー操作部材１６などで構成されており、ミラー操作部材１６は、歯車１５と一体のカム盤１５ａによって揺動させられ、光学ファインダの選択時には、被操作ピン６ｂを操作し、可動ミラー６のアップダウン作動を行わせる。また、摘み３による液晶ファインダの選択時には、シャフト８を介して摘み３と一体の操作部材９が、被操作ピン６ｂを押し、可動ミラー６をアップ状態に維持させる。【選択図】  図３
2004302106.tif 000002
【特許請求の範囲】
【請求項１】
少なくとも一つのシャッタ羽根と該シャッタ羽根を作動させるシャッタ駆動手段とを有するフォーカルプレンシャッタと、可動ミラーがダウン状態のとき被写体像を観察することの可能な光学ファインダと、前記可動ミラーがアップ状態であって前記シャッタ羽根が撮影光路用開口を全開にしているとき被写体像を観察することの可能な液晶ファインダと、前記可動ミラーのアップ・ダウン作動を可能にするミラー駆動手段と、前記光学ファインダを選択したときには前記可動ミラーが前記ミラー駆動手段によってアップ・ダウン作動することを可能にし前記液晶ファインダを選択したときには前記可動ミラーをアップ状態にしておくと共に少なくとも被写体像の観察時には前記シャッタ羽根を前記撮影光路用開口の全開状態にしておく切換手段と、を備えていることを特徴とするデジタルスチルカメラ。
【請求項２】
前記切換手段が、前記可動ミラーをアップ状態に押動するためのカム形状をした操作部材と、該操作部材の回転位置を検出するための検出器とからなることを特徴とする請求項１に記載のデジタルスチルカメラ。
【発明の詳細な説明】
【０００１】
【発明の属する技術分野】
本発明は、可動ミラーを使用して光学系によって被写体像を観察する光学ファインダと、撮像用の固体撮像素子を利用して液晶表示装置によって被写体像を観察する液晶ファインダとを、切換手段によって選択的に使用して撮影が行えるようにした、フォーカルプレンシャッタを備えたデジタルスチルカメラに関する。
【０００２】
【従来の技術】
フォーカルプレンシャッタを備えた一眼レフカメラは、一般に、撮影レンズとフォーカルプレンシャッタの間に可動ミラー（クイックリターンミラー）を配置しており、その可動ミラーで反射された被写体光をファインダ光学系に導き、被写体像を観察できるようにしている。この種のファインダは、光学ファインダといわれていて、銀塩フィルムを使用するカメラにも採用されているが、デジタルスチルカメラにも採用されている。また、このほか、一眼レフのデジタルスチルカメラには、撮影済み画像を観察することの可能な液晶表示装置を備えているのが普通である。
【０００３】
他方、レンズシャッタを備えたデジタルスチルカメラの場合には、やはり、撮影済み画像を観察することの可能な液晶表示装置を備えているのが普通である。そして、上記のような一眼レフカメラの場合とは異なり、可動ミラーを備えていないことから、撮影をしていないときに、固体撮像素子を被写体光にさらし、その液晶表示装置を利用して、被写体像を観察できるようにしている。一般に、この種のファインダは、液晶ファインダ，電子ファインダなどと言われているが、以下においては液晶ファインダということにする。
【０００４】
ところで、上記のように、可動ミラーとフォーカルプレンシャッタとを備えているデジタルスチルカメラは、光学ファインダと、撮影済み画像を観察することの可能な液晶表示装置を備えている。ところが、液晶表示装置を備えていることから、光学ファインダを用いて撮影が行えるにもかかわらず、レンズシャッタを備えたデジタルスチルカメラの場合のように、液晶表示装置をファインダとして用い、撮影が行えるようにもしたいという要求が強い。
【０００５】
しかしながら、この種の一眼レフのデジタルスチルカメラは、光学ファインダで被写体像を観察しながら撮影する場合には、観察中は可動ミラーを被写体光路に臨ませた状態（以下、ダウン状態という）にしておかなければならなし、液晶ファインダで観察しながら撮影する場合には、可動ミラーを被写体光路から退避させた状態（以下、アップ状態という）にし、且つフォーカルプレンシャッタを必ず全開状態にしておかなければならない。ところが、フォーカルプレンシャッタには、シャッタ羽根を一つだけ備えたものと二つ備えたものとがあり、二つ備えたものは、撮影開始直前には、撮影光路用開口を閉鎖させた状態にしなければならない。
【０００６】
このようなことから、光学ファインダと液晶ファインダとを選択して撮影可能とするためには、切換手段によるファインダの選択操作に対応して、可動ミラーやフォーカルプレンシャッタの作動状態も変え、且つ撮影に際しては、その観察状態から、フォーカルプレンシャッタを用いて直ちに撮影が行えるようにしなければならないが、二つのシャッタ羽根を有するフォーカルプレンシャッタを備えたカメラであって、そのような要求を好適に満足させるようにした構成（以下、従来例という）は既に知られている（特許文献１参照）。
【０００７】
【特許文献１】
特開２００１−２２２０５９号公報（第４−１１頁、図１−１３）
【０００８】
【発明が解決しようとする課題】
上記の従来例のカメラは、光学ファインダと液晶ファインダとを選択して撮影することの可能な、可動ミラーを備えた一眼レフのデジタルスチルカメラである。しかしながら、この従来例のフォーカルプレンシャッタは、二つのシャッタ羽根を有するものであり、露光作動時には、それらが駆動ばねの付勢力によって作動させられるものである。特許文献１には、それ以外のシャッタ構成についての開示はなされていない。また、従来例の場合には、液晶ファインダを用いて撮影する場合でも、撮影ごとに可動ミラーのアップ・ダウン作動が行われる。しかしながら、そのような作動は、耐久性の観点からも好ましくなく、出来れば行わなくても済むようにしたい。また、次に説明する観点からも、行わなくて済むようにしたい。
【０００９】
周知のように、一眼レフカメラの場合、可動ミラーは、ミラーボックス内でアップ・ダウン作動を行うようになっている。また、ミラー駆動手段は、歯車，カム，レバーなどで構成され、ミラーボックス外に配置されており、その近傍位置にはシャッタ駆動手段も配置されている。そのため、特許文献１には明示されていないが、ミラー駆動手段によって可動ミラーを作動させることを可能にするために、ミラーボックスには窓が設けられている。そして、可動ミラーの一部が、その窓からミラーボックス外へ突き出ていて、ミラー駆動手段によって操作されるたびに、所定の角度範囲で往復作動させられるようになっている。従って、その窓は、そのような往復作動を行い得る大きさの開口として形成されている。
【００１０】
他方、ミラー駆動手段は、上記のように、歯車やカム部品などで構成されているため、その作動時には極めて微細ではあるが、磨耗粉を発生させ飛散させることが知られている。また、シャッタ駆動手段は、ばね駆動の場合であっても電磁駆動の場合であっても、シャッタ羽根の駆動部材に設けられた周知の駆動ピンがストッパへ当接して磨耗粉を発生させるし、従来例のように、ばね駆動の場合には、その上に、駆動部材やセット部材にカムを形成したりするために、やはり磨耗粉を発生させる。そして、それらの磨耗粉は、発生直後の浮遊状態のとき、空気に流れが生じると、それによって大きく移動させられる。
【００１１】
従って、上記のように可動ミラーがアップ・ダウン作動を行うと、それらの磨耗粉の中には、上記の窓を通ってミラーボックス内に入り込み、開放状態にあるフォーカルプレンシャッタの撮影光路用開口を通って、固体撮像素子の撮像面に付着するものがでてくる。そして、磨耗粉が撮影のたびに撮像面に蓄積されていくと、やがて良質の画像が得られなくなるため、撮像面のクリーニングを頻繁に行う必要が生じてくる。そのため、液晶ファインダを使用して撮影する場合には、出来れば必要のない可動ミラーのアップ・ダウン作動を行わなくて済むようにしたい。
【００１２】
本発明は、このような問題点を解決するためになされたものであり、その目的とするところは、可動ミラーと、フォーカルプレンシャッタと、光学ファインダと、液晶ファインダとを備えた一眼レフのカメラであって、液晶ファインダで撮影を行う場合には、撮影に際して、可動ミラーがアップ・ダウン作動を行わないようにした一眼レフのデジタルスチルカメラを提供することである。
【００１３】
【課題を解決するための手段】
上記の目的を達成するために、本発明のデジタルスチルカメラは、少なくとも一つのシャッタ羽根と該シャッタ羽根を作動させるシャッタ駆動手段とを有するフォーカルプレンシャッタと、可動ミラーがダウン状態のとき被写体像を観察することの可能な光学ファインダと、前記可動ミラーがアップ状態であって前記シャッタ羽根が撮影光路用開口を全開にしているとき被写体像を観察することの可能な液晶ファインダと、前記可動ミラーのアップ・ダウン作動を可能にするミラー駆動手段と、前記光学ファインダを選択したときには前記可動ミラーが前記ミラー駆動手段によってアップ・ダウン作動することを可能にし前記液晶ファインダを選択したときには前記可動ミラーをアップ状態にしておくと共に少なくとも被写体像の観察時には前記シャッタ羽根を前記撮影光路用開口の全開状態にしておく切換手段と、を備えているようにする。また、その場合には、前記切換手段が、前記可動ミラーをアップ状態に押動するためのカム形状をした操作部材と、該操作部材の回転位置を検出するための検出器とからなるようにすると好適である。
【００１４】
【発明の実施の形態】
本発明の実施の形態を、図示した実施例によって説明する。尚、図１は、本実施例のカメラを外部から見た斜視図である。図２及び図３は、図１のカメラを略Ａ−Ａ線で切断し、内部構成の要部だけを示した説明図であって、図２は、光学ファインダを使用して撮影を行う場合を示したものであり、図３は、液晶ファインダを使用して撮影を行う場合を示したものである。また、図４は、図１のカメラを略Ｂ―Ｂ線で切断し、内部構成の要部だけを示した説明図であって、図２と同じ状態を示したものである。更に、図５〜図７は、本実施例に用いられているフォーカルプレンシャッタを説明するための正面図であって、被写体側から見て左側の約半分だけを示したものであり、図５は、撮影光路用開口が全開されているセット状態を示したものであり、図６は、レリーズ直後に先羽根が撮影光路用開口を閉鎖した露光作動開始前の状態を示したものであり、図７は後羽根が撮影光路用開口を閉鎖した露光作動終了直後の状態を示したものである。
【００１５】
先ず、本実施例の構成から説明する。図１は、本実施例のカメラを、撮影レンズ（交換レンズ）を取り外した状態で示したものであり、外筐１の前面略中央にはレンズ取付部２が設けられ、その側方位置にはダイアル式の摘み３が回転可能に取り付けられている。この摘み３の回転可能角度は約９０度であり、その両端位置では図示していないクリック機構によって確実に位置決めされるようになっている。また、外筐１の上面には撮影時に押すレリーズボタン４が設けられており、外筐１の背面側（撮影者側）には図示していない電源スイッチが設けられている。
【００１６】
図２は、図１のカメラを略Ａ−Ａ線で切断し、図４は、図１のカメラを略Ｂ−Ｂ線で切断して、内部構成の要部だけを示したものであるが、図２においては、図１に示されたカメラの外筐１を二点鎖線で示してあり、図４においては、外筐１の図示を省略し、レンズ取付部２を二点鎖線で示してある。図２の略中央部に示されているミラーボックス５は、その右側に、図１で説明したレンズ取付部２を固定している。また、ミラーボックス５の内部に配置された可動ミラー６は、その軸部６ａによってミラーボックス５に回転可能に取り付けられており、図示していないばねによって、図２において時計方向へ回転するように付勢されている。また、可動ミラー６は、その被操作ピン６ｂを、ミラーボックス５の壁に形成された窓部５ａから図２の手前側（図４の左側）へ突き出している。
【００１７】
図２において、ミラーボックス５の上方位置には、ペンタプリズムを含むファインダ光学系７が配置されており、可動ミラー６が図２に示されたダウン状態のときには、被写体像を観察できるようになっている。また、ミラーボックス５には、図２の手前側に板状に張り出している二つの張出部５ｂ，５ｃが設けられていて、それらの間にシャフト８が回転可能に取り付けられている。そして、そのシャフト８の右端は、外筐１の孔を貫通しており、そこに上記の摘み３が取り付けられている。また、シャフト８の左端近傍には、カム面を有する操作部材９が取り付けられおり、摘み３を回転させると、シャフト８と共に回転し、可動ミラー６の被操作ピン６ｂに接し得るようになっている。更に、図示を省略しているが、張出部５ｂには、操作部材９の回転位置を電気的に検出する検出手段（検出器）が設けられている。
【００１８】
次に、ミラーボックス５の外側の壁に取り付けられているミラー駆動手段の構成を説明する。先ず、ミラーボックス５には、図２に示すように、複数のビスによって取付台１０が取り付けられている。この取付台１０には、図示していない適宜な手段によって一方方向へのみ回転するモータ１１が取り付けられているが、その出力軸に取り付けられた歯車１２は、ミラーボックス５の壁と取付台１０との間に配置されている。また、ミラーボックス５の壁には軸５ｄ，５ｅ，５ｆ，５ｇが立設されているが、それらのうちの軸５ｄ，５ｅ，５ｆには、夫々、歯車１３，１４，１５が回転可能に取り付けられていて、上記の歯車１２と共に歯車列を構成している。そして、歯車１５は、ミラーボックス５側の面にカム盤１５ａを一体的に形成している。更に、図示していないが、ミラーボックス５には、歯車１５の回転ｂ位置を電気的に検出する検出手段が設けられている。
【００１９】
また、軸５ｇには、ミラー作動部材１６が回転可能に取り付けられていて、図示していないばねによって図２において時計方向へ回転するように付勢されている。そして、そのばねの付勢力は、上記した可動ミラー６に掛けられいるばねの付勢力よりも大きい。そのため、ミラー作動部材１６の一方の腕部は、常にカム盤１５ａのカム面に接触しており、他方の腕部には、可動ミラー６の被操作ピン６ｂが接触するようになっている。
【００２０】
次に、ミラーボックス５の背面側（撮影者側）にある構成を説明する。図２に示すように、ミラーボックス５の背面には、シャッタ地板１７をねじ１８，１９で螺止することによって、シャッタユニットが取り付けられている。また、シャッタユニットを取り付けたミラーボックス５は、ねじ２０，２１によってカメラ本体２２に取り付けられている。そして、そのカメラ本体２２には、固体撮像素子２３が取り付けられていて、その撮像面を、シャッタユニットによって形成された撮影光路用開口に臨ませている。また、カメラ本体２２の背面には、液晶表示装置２４が取り付けられていて、そこに表示された画像を撮影者が観察できるようになっている。
【００２１】
次に、本実施例に用いられているフォーカルプレンシャッタのユニット構成を、主に図２及び図５を用いて説明する。図２に示すように、シャッタ地板１７の背面側には、補助地板２５が、シャッタ地板１７との間に所定の間隔を空け、適宜な手段によって取り付けられている。また、シャッタ地板１７と補助地板２５の間には、中間板２６が周知の手段によって取り付けられており、シャッタ地板１７と中間板２６の間に後羽根の羽根室を構成し、補助地板２５と中間板２６の間に先羽根の羽根室を構成している。
【００２２】
周知のように、シャッタ地板１７には、長方形を横長にした開口部１７ａが形成されているが、図５においては、その左側の一部が示されている。また、上記の補助地板２５と中間板２６にも、その開口部１７ａと重なる位置に、類似の形状をした開口部２５ａ，２６ａ（図２参照）が形成されている。シャッタユニットとしての撮影光路用開口は、それらの三つの開口部１７ａ，２５ａ，２６ａによって合成されることもあるが、本実施例の場合には、シャッタ地板１７の開口部１７ａだけで、その撮影光路用開口を規制している。
【００２３】
図５において、シャッタ地板１７の上方位置と下方位置に、孔１７ｂ，１７ｃが形成されているが、これらの孔１７ｂ，１７ｃは、上記のねじ１８，１９によってシャッタユニットをミラーボックス５へ取り付けるためのものである。また、シャッタ地板１７には、開口部１７ａの左側に、円弧状の二つの長孔１７ｄ，１７ｅが形成されている。そして、それらの上端部には、周知のようにして、平面形状がＣ字状をしたゴム製の緩衝部材２７，２８を取り付けてある。
【００２４】
シャッタ地板１７の表面側（被写体側）の面には、軸１７ｆ，１７ｇ，１７ｈ，１７ｉが立設されており、背面側には、軸１７ｊ，１７ｋ，１７ｍ，１７ｎが立設されているが、それらのうち、軸１７ｆ，１７ｊは同軸上に配置され、軸１７ｇ，１７ｋも同軸上に配置されている。そして、軸１７ｆ，１７ｇ，１７ｈの先端には、二点鎖線で示した支持板２９が、シャッタ地板１７と平行になるようにして取り付けられている。また、その支持板２９には、シャッタ地板１７側に先羽根用電磁石と後羽根用電磁石が取り付けられているが、図５においては、それらの鉄心３０，３１のみを二点鎖線で示してある。
【００２５】
シャッタ地板１７の軸１７ｆには、合成樹脂製の先羽根用駆動部材３２が回転可能に取り付けられていて、図示していない周知の先羽根用駆動ばねによって反時計方向へ回転するように付勢されている。この先羽根用駆動部材３２は、被押動部３２ａ，駆動ピン３２ｂ，取付部３２ｃを有している。また、駆動ピン３２ｂの断面形状は、根元部が円形をし、先端部が小判型をしており、その根元部が上記の緩衝部材２７に当接し得るようになっていて、先端部は長孔１７ｄを貫通し、羽根室側に突き出ている。また、取付部３２ｃには、周知のように、図示していないばねを介在させて鉄片部材３３が取り付けられており、上記した先羽根用電磁石の鉄心３０に吸着され得るようになっている。
【００２６】
シャッタ地板１７の軸１７ｇには、合成樹脂製の後羽根用駆動部材３４が回転可能に取り付けられていて、図示していない周知の後羽根用駆動ばねによって反時計方向へ回転するように付勢されている。また、この後羽根用駆動部材３４は、被押動部３４ａ，駆動ピン３４ｂ，取付部３４ｃを有している。そして、駆動ピン３４ｂは、上記の駆動ピン３２ｂと同じ形状をしていて、根元部が上記の緩衝部材２８に当接し得るようになっており、先端部は長孔１７ｅを貫通し、羽根室側に突き出ている。また、取付部３４ｃには、周知のように、図示していないばねを介在させて鉄片部材３５が取り付けられており、上記した後羽根用電磁石の鉄心３１に吸着され得るようになっている。
【００２７】
シャッタ地板１７の軸１７ｈには、合成樹脂製のセット部材３６が回転可能に取り付けられている。このセット部材３６は、カム面として形成した二つの押動部３６ａ，３６ｂを有していると共に、シャッタ地板１７側の面には、歯車部３６ｃを有している。また、二つの押動部３６ａ，３６ｂは、押動部３６ａの方が、押動部３６ｂよりもシャッタ地板１７側に形成されていて、セット部材３６が回転したとき、先羽根用駆動部材３２や、後羽根用駆動部材３４の取付部３４ｃなどに干渉せず、且つ後羽根用駆動部材３４のシャッタ地板１７側に設けられた被押動部３４ａを押せるようになっている。
【００２８】
シャッタ地板１７の軸１７ｉには、合成樹脂製の歯車３７が回転可能に取り付けられている。図５では正確に把握することができないが、この歯車３７は、実際には２段歯車になっていて、支持板２９側に形成されている歯がセット部材３６の歯車部３６ｃと噛合していて、シャッタ地板１７側に形成されている歯は、はす歯である。また、シャッタ地板１７に形成されている折曲部１７ｐには、往復回転可能なモータ３８が、ねじ３９，４０によって取り付けられており、その出力軸に取り付けられたウォーム３８ａが、上記の歯車３７のはす歯に噛合している。尚、図面が複雑になるので図示を省略してあるが、歯車３７とシャッタ地板１７との間には検出手段（検出器）が備えられていて、歯車３７の複数の回転位置を電気的に検出することが可能になっている。
【００２９】
次に、各々の羽根室内に配置されている二つのシャッタ羽根（先羽根，後羽根）の構成を説明する。先ず、先羽根は、シャッタ地板１７の軸１７ｊ，１７ｍに回転可能に取り付けられた二つのアーム４１，４２と、それらの長さ方向に順に枢支された５枚の羽根４３，４４，４５，４６，４７とで構成されていて、最先端に枢支された羽根４７がスリット形成羽根となっている。そして、一方のアーム４１には、図示していない周知の孔が形成されており、そこには、上記した先羽根用駆動部材３２の駆動ピン３２ｂの先端部が嵌合している。
【００３０】
他方、後羽根の構成は、先羽根と同じであるが、先羽根を裏返した状態にして、羽根室内に配置されている。即ち、後羽根は、シャッタ地板１７の軸１７ｋ，１７ｎに回転可能に取り付けられた二つのアーム４８，４９と、それらの長さ方向に順に枢支された４枚の羽根５０，５１，５２，５３とで構成されていて、最先端に枢支された羽根５３がスリット形成羽根となっている。そして、アーム４８に形成されている図示していない孔には、後羽根用駆動部材３４の駆動ピン３４ｂの先端部が嵌合している。
【００３１】
次に、本実施例の作動を説明するが、最初に、光学ファインダを選択して撮影する場合を説明する。その場合、摘み３の指標は、撮影者によって、図１に示されているように、外筐１に記された中黒の三角のマークに合わされている。そして、このとき、シャフト８に取り付けられている操作部材９は、図２及び図４に示されているように、可動ミラー６の被操作ピン６ｂには接し得ない位置を占めている。そのため、可動ミラー６はダウン状態となり、光学ファインダが機能し、被写体像が観察できるようになっている。また、ミラーボックス５の張出部５ｂに設けられている図示していない検出手段が、そのときの摘み３の回転位置を検出することによって、モータ１１の駆動回路が機能し得るようになり、且つ液晶表示装置２４による液晶ファインダ機能が得られないようになっている。但し、液晶表示装置２４は、撮影済み画像を表示し得るようにはなっている。
【００３２】
また、このとき、上記の図示していない検出手段が摘み３の回転位置を検出したことによって、フォーカルプレンシャッタは、図５に示す状態となっており、先羽根用駆動部材３２は、図示していない先羽根用駆動ばねの付勢力によって反時計方向へ回転させられ、駆動ピン３２ｂが緩衝部材２７に当接している。そのため、先羽根の５枚の羽根４３〜４７は重畳状態となって、開口部１７ａの上方位置に格納されている。他方、後羽根用駆動部材３４は、その被押動部３４ａがセット部材３６の押動部３６ａの周面に接触し、図示していない後羽根用駆動ばねの付勢力による反時計方向への回転を抑止されていると共に、鉄片部材３５を鉄心３１に接触させている。そのため、後羽根の４枚の羽根５０〜５３は重畳状態となって、開口部１７ａの下方位置に格納されている。従って、このときには、開口部１７ａ（即ち、撮影光路用開口）は全開となっている。
【００３３】
光学ファインダで被写体像を確認し、レリーズボタン４を押すと、先ず、二つのモータ１１，３８が起動されると共に、図５にそれらの鉄心３０，３１だけを示してある二つの電磁石に通電される。そこで先ず、図２においてモータ１１が起動すると、歯車１２〜１４を介して歯車１５が反時計方向へ回転し、ミラー操作部材１６が、図示していないばねの付勢力によって、カム盤１５ａに追従して時計方向へ回転する。そのため、可動ミラー６が、被操作ピン６ｂを押されて反時計方向へ回転させられ、シャフト８と略平行なアップ状態になったとき、歯車１５の回転位置を図示していない検出手段が検出することによって、モータ１１が停止する。
【００３４】
他方、図５においてモータ３８が起動すると、ウォーム３８ａ，歯車３７を介してセット部材３６が反時計方向へ回転する。それによって、先羽根用駆動部材３２は、その被押動部３２ａをセット部材３６の押動部３６ｂに押され、図示していない先羽根用駆動ばねの付勢力に抗して時計方向へ回転させられる。そのため、先羽根のアーム４２が駆動ピン３２ｂによって時計方向へ回転させられるので、５枚の羽根４３〜４７は、隣接する羽根同士の重なり量を少なくしつつ下方へ作動し、開口部１７ａを閉鎖していく。しかしながら、後羽根用駆動部材３４は、このとき、被押動部３４ａがセット部材３６の押動部３６ａに接触し続け、且つ鉄片部材３５が鉄心３１に吸着されているので、後羽根を作動させることはない。
【００３５】
その後、先羽根が開口部１７ａを完全に閉鎖した状態が、図６に示された状態である。このとき、先羽根用駆動部材３２は、その被押動部３２ａがセット部材３６の押動部３６ｂの周面に接触しており、且つ鉄片部材３３は後羽根用電磁石の鉄心３０に吸着されている。このような状態になったことを、シャッタ地板１７と歯車３７の間に設けられた図示していない検出手段が検出すると、その検出信号によって、モータ３８が逆転させられると共に、固体撮像素子２３に蓄積されていた電荷を放出する。また、モータ３８が逆転されたことによって、セット部材３５は、時計方向へ回転させられ、図５に示された位置を通過し、図７に示された位置まで回転させられる。そして、その位置まで達したことを、上記の検出手段が検出すると、モータ３８が停止する。
【００３６】
このように、可動ミラー６がアップ状態となってモータ１１が停止し、且つ開口部１７ａの閉鎖後、セット部材３６が図７に示された状態となってモータ３８も停止すると、先ず、先羽根用電磁石に対する通電が断たれ、続いて所定時間後には、後羽根用電磁石に対する通電も断たれることによって、鉄片部材３３，３５に対する吸着保持力が順に解かれ、先羽根用駆動部材３２と後羽根用駆動部材３４とは、図示していない夫々の駆動ばねの付勢力によって、反時計方向へ順次急速に回転させられる。そのため、先羽根の５枚の羽根４３〜４７は、隣接した羽根同士の重なり量を大きくしながら上方へ作動し、後羽根の４枚の羽根５０〜５３は、隣接した羽根同士の重なり量を少なくしながら上方へ作動することによって、固体撮像素子２３の受像面が、両者のスリット形成羽根４７，５３によって形成されたスリットにより、露光されていく。
【００３７】
そして、先羽根用駆動部材３２の駆動ピン３２ａが緩衝部材２７に当接すると、先羽根の作動が停止し、５枚の羽根４３〜４７は重畳状態となって開口部１７ａの上方位置に格納され、続いて後羽根用駆動部材３４の駆動ピン３４ｂが緩衝部材２８に当接すると、後羽根の作動も停止し、４枚の羽根５０〜５３は展開状態となって開口部１７ａを閉鎖する。そのようにして行われた露光作動の終了直後の状態が図７に示されている。その後、この閉鎖状態において、撮像情報が、固体撮像素子２３から記憶装置に転送されると、直ちに二つのモータ１１，３８が起動させられる。
【００３８】
先ず、モータ１１が起動すると、歯車１２〜１４を介して歯車１５が反時計方向へ回転させられるため、それまでカム盤１５ａに追従して時計方向へ回転していたミラー操作部材１６が、今度はカム盤１５ａに押されて反時計方向へ回転させられる。そのため、可動ミラー６は、その被操作ピン６ｂがミラー操作部材１６に追従して、図示していないばねの付勢力によって時計方向へ回転させられる。そして、可動ミラー６が図２に示されたダウン状態になると、歯車１５の回転位置を図示していない検出手段が検出してモータ１１が停止され、光学ファインダによる被写体像の観察が可能になる。
【００３９】
他方、図７においてモータ３８が起動すると、ウォーム３８ａ，歯車３７を介してセット部材３６が反時計方向へ回転させられる。そのため、後羽根用駆動部材３４が、その被押動部３４ａをセット部材３６の押動部３６ａに押されて、図示していない後羽根用駆動ばねの付勢力に抗して時計方向へ回転させられ、その駆動ピン３４ｂによって後羽根のアーム４８を時計方向へ回転させる。それによって、後羽根の４枚の羽根５０〜５３は、隣接する羽根同士の重なり量を大きくしながら下方へ作動し、開口部１７ａを開放していく。そして、開口部１７を全開にし、４枚の羽根５０〜５３が開口部１７ａの下方位置に格納されると、セット部材３６の押動部３６ｂが先羽根用駆動部材３２の被押動部３２ａを押し始める前に、上記の検出手段が検出してモータ３８が停止され、図５の状態が得られる。従って、二つのモータ１１，３８が停止した後は、いつでも次の撮影が行えることになる。
【００４０】
次に、液晶ファインダを選択して撮影する場合を説明する。この場合は、図１において摘み３を時計方向へ約９０度回転させ、指標を、白抜きの三角のマークに合わせる。それによって、シャフト８に取り付けられている操作部材９が、可動ミラー６の被操作ピン６ｂを押し上げ、図３に示されているように、可動ミラー６をアップ状態にして、光学ファインダが機能しないようにする。また、ミラーボックス５の張出部５ｂに設けられている図示していない検出手段が、そのときの摘み３の回転位置を検出して、液晶表示装置２４を利用した液晶ファインダ機能が得られるようにすると共に、モータ１１の駆動回路が機能しないようにし、且つフォーカルプレンシャッタを図５の状態にしている。従って、そのような選択操作が行われたときから、液晶表示装置２４による被写体像の観察が可能になる。また、フォーカルプレンシャッタは、液晶ファインダを選択した場合でも、レリーズ後は、上記の光学ファインダを選択した場合と同様の作動をする。従って、その作動説明は省略する。
【００４１】
ところで、上記のような本実施例の構成及び作動説明からも分かるように、液晶ファインダを選択した場合には、モータ１１，歯車１２〜１５，ミラー操作部材１６などのミラー駆動手段は静止している。従って、それらの作動によって磨耗粉は発生しない。ところが、モータ３８，ウォーム３８ａ，歯車３７，セット部材３６，先羽根用駆動部材３２，後羽根用駆動部材３４などのシャッタ駆動手段は作動するから、それによって磨耗粉を発生させる。しかも、図３〜図５の対比からも分かるように、シャッタ駆動手段は、ミラーボックス５の窓部５ａの近傍に配置されている。そのため、特許文献１に記載されているように、液晶ファインダを使用している場合においても可動ミラー６を作動させると、シャッタ駆動手段から発生して浮遊している磨耗粉が、窓部５ａからミラーボックス５内に引き込まれ、固体撮像素子２３の受像面に付着するものが出てくるが、本実施例では、そのような事態は生じない。
【００４２】
また、本実施例の場合には、ミラー駆動手段の駆動源がモータ１１であり、シャッタ駆動手段の駆動源がモータ３８であるが、シャッタの構成によっては、特許文献１に記載されているように、ミラー駆動手段の駆動源とシャッタ駆動手段の駆動源とを、一つのモータ１１で兼ねさせる場合がある。ところが、そのような構成にした場合には、液晶ファインダを選択した場合であっても、本実施例における歯車１２〜１５やミラー操作部材１６などを常に作動させることになるため、本実施例の場合よりも磨耗粉を多く発生させるおそれがある。従って、そのような構成にした場合にこそ、本実施例のように、可動ミラー６を作動させないようにすると、その効果が大きくなる。更に、本実施例は、液晶ファインダを用いる場合、撮影のたびに可動ミラー６を作動させないので、可動ミラー６の耐久性の点で有利になることは言うまでもない。
【００４３】
尚、上記の作動説明においては、光学ファインダを用いて撮影するときも、液晶ファインダを用いて撮影するときも、シャッタ自体の作動シーケンスは同じ場合で説明したが、本実施例の構成のままでも、モータ３８の制御方法を変えるだけで、光学ファインダを用いて撮影する場合におけるシャッタの作動シーケンスを、上記とは異なるようにすることができる。そこで、上記した作動シーケンスを第１の作動シーケンスと称し、それと異なる作動シーケンスを第２の作動シーケンスと称して、以下に、その第２の作動シーケンスによるシャッタの作動だけを説明する。
【００４４】
上記のように、液晶ファインダを用いて撮影をしているときの撮影待機状態は、図５に示された状態である。この状態において、摘み３の指標を中黒の三角のマークに合わせると、そのときの摘み３の回転位置を検出して、モータ１１が機能し得るようになると共に、モータ３８が直ちに起動し、セット部材３６を反時計方向へ回転させて、図６の状態にする。その結果、第２の作動シーケンスにおいては、この図６に示された状態が、次の撮影の待機状態となる。第１の作動シーケンスの場合と異なり、このように先羽根によって撮影光路用開口（開口部１７ａ）を閉鎖していても、液晶ファインダを用いないので全く問題はない。しかも、撮影時以外においては常に閉鎖状態にしておくことによって、固体撮像素子２３の性能劣化を防止できるし、先羽根に露光作動を早く行わせることも可能になる。
【００４５】
撮影に際しては、可動ミラー６がアップ状態になった後、図６の状態から露光作動が開始され、その後、図７の状態で終了するまでは、第１の作動シーケンスの場合と同じである。そして、図７の状態で、撮像情報が記憶装置に転送されると、モータ３８が起動してセット部材３６を反時計方向へ回転させるが、そのときには、図５の状態になっても停止せず、一挙に図６の状態になって停止する。従って、その後、光学ファインダを用いて撮影を続ける限りにおいては、このシーケンスが繰り返されることになる。また、図６の状態において、液晶ファインダを用いて撮影を行うことになった場合、摘み３を白抜きの三角マークに合わせると、今度はその摘み３の回転位置を検出することによって、モータ１１が機能し得ない状態になると共に、モータ３８が直ちに起動され、セット部材３６を一旦図７の状態まで回転させておいてから図５の状態まで逆転させ、第１の作動シーケンスの場合の撮影待機状態とする。
【００４６】
このように、光学ファインダを用いて撮影するときには、二つの作動シーケンスのどちらか一方で行うように製作することができるが、図１において、摘み３を反時計方向へ約９０度回転させることを可能にし、且つ黒塗りの三角マークに合わせたときとは異なる検出信号を検出できるようにすることによって、それらの二つの作動シーケンスを選択できるように製作することも可能である。また、摘み３が、液晶ファインダを用いて撮影するように選択している場合でも、カメラの電源スイッチをオフにしたときには、図７の状態にし、オンにしたときには図５の状態にして、固体撮像素子２３の性能劣化を防止するようにすることも可能である。
【００４７】
更に、本実施例のフォーカルプレンシャッタは、先羽根，後羽根と称した二つのシャッタ羽根を備えているが、いずれか一方だけを備えたフォーカルプレンシャッタとしても機能させることができる。そこで、図５及び図７において、先羽根や先羽根用駆動部材３２などの先羽根系の部材を備えておらず、しかも、セット部材３６に押動部３６ｂが形成されていないフォーカルプレンシャッタを想定し、その場合における作動を簡単に説明する。尚、光学ファインダを選択した場合における可動ミラー６の作動は、上記に準じて行われるので、その説明は省略する。また、光学ファインダを選択した場合でも、液晶ファインダを選択した場合でも、上記の場合と同様に、シャッタの作動自体は同じである。更にまた、この場合には、シャッタ羽根が一つであるから、用語上、後羽根という概念は存在しない。しかしながら、各部材の名称は上記の場合のままで説明する。
【００４８】
撮影に際してレリーズボタン４が押されると、後羽根用電磁石に通電され、鉄片部材３５が鉄心３１に吸着保持される。また、上記電磁石への通電と同時にモータ３８へも通電されるが、この場合には、上記の実施例の場合と異なり、セット部材３６が時計方向へ回転させられ、図７の状態で停止させられる。このとき、セット部材３６の押動部３６ａが後羽根用駆動部材３４の被押動部３４ａから離れるが、鉄片部材３５が鉄心３１に吸着されたままなので、開口部１７ａは全開のままである。
【００４９】
このようにして、セット部材３６の回転が停止すると、制御回路からの電気信号によって固体撮像素子２３の電荷が放出され、撮影のための露光が開始する。そして、所定の時間が経過すると、後羽根用電磁石に対する通電が断たれるので、鉄片部材３５に対する吸着力が失われ、後羽根用駆動部材３４は、図示していない後羽根用駆動ばねの付勢力によって反時計方向へ回転させられ、図７に示されたように、４枚の羽根５０〜５３によって開口部１７ａを閉鎖させる。そして、この閉鎖状態において、撮像情報が、固体撮像素子２３から記憶装置に転送される。
【００５０】
撮像情報の転送が終了すると、モータ３８が起動され、セット部材３６が反時計方向へ回転させられる。そのため、後羽根用駆動部材３４は、その被押動部３４ａをセット部材３６の押動部３６ａに押され、図示していない駆動ばねの付勢力に抗して時計方向へ回転させられる。そして、図５に示されているように、４枚の羽根５０〜５３が開口部１７ａを全開にして、その下方位置に格納され、且つ鉄片部材３５が後羽根用電磁石の鉄心３１に接触すると、モータ３８が停止させられ、次の撮影に備えることになる。尚、本実施例では、摘み３によって手動で操作部材９を回転させているが、適宜な外部スイッチによって起動させられるモータなどの電磁装置によって回転させても差し支えない。
【００５１】
【発明の効果】
以上のように、本発明は、可動ミラーと、フォーカルプレンシャッタと、光学ファインダと、液晶ファインダとを備えたデジタルスチルカメラにおいて、液晶ファインダを選択して撮影をする場合には、撮影に際して、可動ミラーがアップ・ダウン作動を行わないようにしたので、可動ミラーの耐久性が向上するほか、シャッタ駆動手段やミラー駆動手段などから発生した磨耗紛が、ミラーボックスを経由して固体撮像素子に付着するのを、好適に抑制することが可能になる。
【図面の簡単な説明】
【図１】実施例のカメラを外部から見た斜視図である。
【図２】図１のカメラを略Ａ−Ａ線で切断し、内部構成の要部だけを示した説明図であって、光学ファインダを使用して撮影を行う場合を示したものである。
【図３】図２と同様に、図１のカメラを略Ａ−Ａ線で切断し、内部構成の要部だけを示した説明図であって、液晶ファインダを使用して撮影を行う場合を示したものである。
【図４】図１のカメラを略Ｂ―Ｂ線で切断し、内部構成の要部だけを示した説明図であって、図２と同じ状態を示したものである。
【図５】実施例に用いられているフォーカルプレンシャッタの正面図であって、撮影光路用開口が全開されているセット状態を示したものである。
【図６】実施例に用いられているフォーカルプレンシャッタの正面図であって、レリーズ直後に先羽根が撮影光路用開口を閉鎖した露光作動開始前の状態を示したものである。
【図７】実施例に用いられているフォーカルプレンシャッタの正面図であって、後羽根が撮影光路用開口を閉鎖した露光作動終了直後の状態を示したものである。
【符号の説明】
１                      外筐
２                      レンズ取付部
３                      摘み
４                      レリーズボタン
５                      ミラーボックス
５ａ                    窓部
５ｂ，５ｃ              張出部
５ｄ，５ｅ，５ｆ，５ｇ，１７ｆ〜１７ｋ，１７ｍ，１７ｎ  軸
６                      可動ミラー
６ａ                    軸部
６ｂ                    被操作ピン
７                      ファインダ光学系
８                      シャフト
９                      操作部材
１０                    取付台
１１，３８              モータ
１２，１３，１４，１５，３７  歯車
１５ａ                  カム盤
１６                    ミラー作動部材
１７                    シャッタ地板
１７ａ，２５ａ，２６ａ  開口部
１７ｂ，１７ｃ          孔
１７Ｄ，１７ｅ          長孔
１７ｐ                  折曲部
１８，１９，２０，２１，３９，４０  ねじ
２２                    カメラ本体
２３                    固体撮像素子
２４                    液晶表示装置
２５                    補助地板
２６                    中間板
２７，２８              緩衝部材
２９                    支持板
３０，３１              鉄心
３２                    先羽根用駆動部材
３２ａ，３４ａ          被押動部
３２ｂ，３４ｂ          駆動ピン
３２ｃ，３４ｃ          取付部
３３，３５              鉄片部材
３４                    後羽根用駆動部材
３６                    セット部材
３６ａ，３６ｂ          押動部
３６ｃ                  歯車部
３８ａ                  ウォーム
４１，４２，４８，４９  アーム
４３，４４，４５，４６，４７，５０，５１，５２，５３  羽根
【図１】
2004302106.tif 000003
【図２】
2004302106.tif 000004
【図３】
2004302106.tif 000005
【図４】
2004302106.tif 000006
【図５】
2004302106.tif 000007
【図６】
2004302106.tif 000008
【図７】
2004302106.tif 000009